【事件の表示】
　特許第３０４２４８５号「電子スチルカメラ」の請求項１、３、４に係る特許に対する特許異議の申立てについて、次のとおり決定する。
【結　論】
　訂正を認める。
　特許第３０４２４８５号の請求項１に係る特許を維持する。
【理　由】
１．手続の経緯
　特許第３０４２４８５号の請求項１ないし５に係る発明についての出願は、昭和６３年１２月２６日に特許出願した特願昭６３−３２８１８１号の一部を平成１０年１月２２日に新たな特許出願とし、平成１２年３月１０日にその発明について特許の設定登録がされ、その後、請求項１、請求項３、請求項４に係る特許について、異議申立人有限会社オフィスアテナにより特許異議の申立てがなされ、取り消し理由通知がなされ、その指定期間内である平成１３年２月２８日に訂正請求なされたものである。
　
２．訂正の適否についての判断
(1) 訂正の内容
　特許権者が求めている訂正の内容は以下のとおりである。
　特許請求の範囲に係る記載
「　【請求項１】　被写体を一定間隔で撮像し、撮像画像を順次出力する撮像手段と、
　前記撮像画像を所定枚数分記憶する画像記憶手段と、
　前記撮像手段から順次出力される撮像画像を前記画像記憶手段に所定枚数分記憶させ、その後、最古の記憶画像を順次消去することにより前記撮像手段から出力される新たな撮像画像を順次記憶させる記憶制御手段と、
　撮影を指示する撮影指示手段と、
　この撮影指示手段により撮影が指示された場合、撮影指示時点において前記画像記憶手段に既に記憶されている撮像画像を保存記録する保存画像記録手段と、
　を具備したことを特徴とする電子スチルカメラ。
　　【請求項２】　前記保存画像記録手段は、撮影指示時点において前記画像記憶手段に既に記憶されている複数の撮影画像のブレを検出し、この検出結果に応じて前記複数の撮影画像の中から最もブレの少ない撮影画像を保存記録することを特徴とする請求項１記載の電子スチルカメラ。
　　【請求項３】　複数の撮影モードの中から所望の撮影モードを選択する選択手段を備え、
　前記記憶制御手段は、前記選択手段により選択された撮影モードが所定の撮影モードの場合に、前記記憶制御を実行し、
　前記保存画像記録手段は、前記選択手段により選択された撮影モードが所定の撮影モードの場合に、前記保存記録を実行することを特徴とする請求項１記載の電子スチルカメラ。
　　【請求項４】　前記複数の撮影モードは、１枚撮影モードと前後撮影モードを含み、
　前記記憶制御手段は、前記選択手段により前記前後撮影モードが選択された場合に、前記記憶制御を実行し、
　前記保存画像記録手段は、前記選択手段により前記前後撮影モードが選択された場合に、前記保存記録を実行することを特徴とする請求項３記載の電子スチル力メラ。
　　【請求項５】　被写体を一定間隔で撮像し、撮像画像を順次出力する撮像手段と、
　前記撮像画像を所定枚数分記憶する画像記憶手段と、
　前記撮像手段から順次出力される撮像画像を前記画像記憶手段に所定枚数分記憶させ、その後、最古の記憶画像を順次消去することにより前記撮像手段から出力される新たな撮像画像を順次記憶させる記憶制御手段と、
　撮影を指示する撮影指示手段と、
　この撮影指示手段により撮影が指示された場合、前記画像記憶手段に記憶されている、撮影指示前及び又は後の撮像画像の中から所定の撮像画像を保存記録する保存画像記録手段と、
　を具備したことを特徴とする電子スチルカメラ。」
を
　「【請求項１】　被写体を一定間隔で撮像し、撮像画像を順次出力する撮像手段と、
　前記撮像画像を所定枚数分記憶する画像記憶手段と、
　
複数の撮影モードの中から所望の撮影モードを選択する選択手段と、
　
この選択手段により選択された撮影モードが所定の撮影モードの場合に、
　撮影を指示する撮影指示手段と、
　
前記所定の撮影モード中に前記
第１の
　
前記選択手段により選択された撮影モードが前記所定の撮影モード以外の撮影モードの場合に、前記記憶制御手段による記憶制御を禁止する禁止手段と、
　
前記所定の撮影モード以外の撮影モード中に前記撮影指示手段により撮影が指示された場合、撮影指示時点の撮像画像を保存記録する第２の保存画像記録手段と、
　を具備したことを特徴とする電子スチルカメラ。
　　【請求項２】　前記
第１の
像
像
　　
【請求項３】
　前記撮像画像を所定枚数分記憶する画像記憶手段と、
　前記撮像手段から順次出力される撮像画像を前記画像記憶手段に所定枚数分記憶させ、その後、最古の記憶画像を順次消去することにより前記撮像手段から出力される新たな撮像画像を順次記憶させる記憶制御手段と、
　撮影を指示する撮影指示手段と、
　この撮影指示手段により撮影が指示された場合、前記画像記憶手段に記憶されている、撮影指示前及び又は後の撮像画像の中から所定の撮像画像を保存記録する保存画像記録手段と、
　を具備したことを特徴とする電子スチルカメラ。」
と訂正する。
　なお、下線部分が訂正箇所である。
　
(2) 訂正の目的の適否、新規事項の有無、及び特許請求の範囲の拡張・変更の存否
　上記請求項１ないし２に係る訂正は、請求項１ないし２のいずれにも構成要件を加えるものであり、上記請求項３に係る訂正は、請求項３ないし４項を削除し、その削除に伴って請求項が繰り上がったものであるから、いずれも、特許請求の範囲の減縮を目的とした明細書の訂正に該当し、新規事項の追加に該当せず、実質上特許請求の範囲を拡張し、又は変更するものでない。
　
(3) 独立特許要件
　上記請求項２に係る訂正は、特許異議の申立てがされていない請求項についての訂正であって、特許請求の範囲の減縮を目的としたものに該当するから、訂正明細書の請求項２に係る発明の独立特許要件について検討する。
　訂正明細書の請求項２に係る発明は、訂正明細書の特許請求の範囲の請求項２に記載された事項により特定されたとおりのものであって（上記２．(1) 訂正の内容参照。）、同請求項１に係る発明の構成要件を全て含むものである。
　そして、当該請求項１に係る発明が、下記３．(4) のように、申立人が提出した刊行物１ないし刊行物３に記載された発明でなく、また、刊行物１ないし刊行物３に記載された発明に基づいて当業者が容易に発明できたものと認めることができないので、同様の理由により、訂正明細書の請求項２に係る発明は、申立人が提出した刊行物１ないし刊行物３に記載された発明でなく、また、刊行物１ないし刊行物３に記載された発明に基づいて当業者が容易に発明できたものと認めることができない。
　したがって、訂正明細書の請求項２に係る発明は、出願の際、独立して特許を受けることができるものである。　
　
(4) むすび
　上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについて
(1) 申立ての理由の概要
　特許異議申立人有限会社オフィスアテナは、甲第１号証（特開昭５９−７０３８５号公報）、甲第２号証（特開昭６２−１７３８６３号公報）、参考資料１（実願昭５９−７３９４５号（実開昭６０−１８６７７１号）のマイクロフィルム）を提出し、請求項１、３、４に係る発明は、特許法第２９条第１項３号又は第２９条第２項の規定に違反してなされたものであるから、特許を取り消されるべきと主張している。
　
(2) 本件発明
　特許第３０４２４８５号の請求項１に係る発明は、平成１３年２月２８日付けの訂正明細書の特許請求の範囲の請求項１に記載された事項により特定されるとおりのものである（上記２．(1)訂正の内容参照）。
　
(3) 引用刊行物 
　当審が通知した取消理由通知で引用した刊行物には、それぞれ、以下のような発明が記載されている。
　ア．刊行物１：特開昭５９−７０３８５（甲第１号証）
　(a) 固体撮像素子を用いたＴＶカメラを有する内視鏡撮像装置において（１頁左下欄５行ないし６行）
　(b) この発明は胃のように特異的な動きのある対象物を効果的に診断するための内視鏡撮像装置に関する。（１頁右下欄２行ないし４行）
　(c) 次に第２図を参照して、この実施例におけるＴＶ 撮影系統の回路構成に付いて説明する。図において、ＣＣＤ２２は第１図中のＴＶカメラ１８中に設けられており、被検体である胃壁の光学像がこのＣＣＤ２２の受光面に入射されるように構成されている。このＣＣＤ２２は、同じくＴＶカメラ１８中に設けられているＣＣＤ制御回路２３によつて駆動される。ＣＣＤ２２からは、入射した光学像に対応するＴＶ信号が得られ、これが、ＣＣＤ制御回路２３の出力端に並列に接続されている複数の一時画像メモリ２４−１、２４−２・・・２４−ｎの夫々の入力端および主画像メモリ２５に供給される。（２頁右上欄４行ないし１６行）
　(d) 一時画像メモリ２４−１・・・２４−ｎは夫々、１フレーム分のＴＶ画像に相当するＴＶ 信号を記憶する容量を持ち、主画面メモリ２５は複数フレーム分のＴＶ信号を順次記憶する容量を持つ。（２行右上欄１６行ないし２０行）
　(e) レリーズ信号発生回路２７にはレリ一ズボタンスイツチ２１が接続され、このレリーズボタンスイツチ２１が操作されると、タイミング制御回路２６から一時画像メモリ２４−１・・・２４−ｎに順次メモリ制御信号が供給されているものが停止され、記憶内容が固定される。（２頁左下欄５行ないし１１行）
　(f) ここで、レリーズボタンスイッチ２１が操作されていないときは、タイミング制御回路２６からは常時、メモリ制御出力が出されている。従つて、一時画像メモリ２４−１・・・２４−ｎには順次、１フレーム分のＴＶ信号が記憶される。一方、ＣＣＤＴＶ信号は、ＣＣＤ制御回路２３から連続的に主画像メモリ２５に供給され、その最初のアドレスによつて指定された第１のメモリロケーション中に、最新のフレームのＴＶ信号が記憶される。この主画像メモリ２５の残りのすべてのメモリロケーションには、一時画像メモリ２４−１，・・・２４−ｎに固定的に記憶されたＴＶ信号が転送されて記憶される。次のフレームのＴＶ信号が入力されると、一時画像メモリ２４−ｎ中に最も古く記憶されたＴＶ信号が消去され、最新フレームのＴＶ信号が代りにメモリ２４−１中に記憶される。このようにして、一時画像メモリ２４−１，・・・２４−ｎおよび主画像メモリ２５中に記憶されるフレーム毎のＴＶ信号は常に更新されている。（２頁右下欄１２行ないし３頁左上欄１１行）
　(g) この状態で、モニタＴＶ１１のスクリーン上に表示された画像の静止画像が必要なときは、操作者は、モニタＴＶ１１のスクリーンの下方にあるレリーズボタン２１を操作する。これによつて、レリーズ信号発生回路２７からレリーズ信号Ｒｅが発生され、このレリーズ信号がタイミング制御回路２６の動作を停止させるのに用いられる。この結果、タイミング制御回路２６から例えば△ｔ＝１／６０秒毎に出力されていた、一時画像メモリ２４−１，２４−２，・・・２４−ｎの順に、供給されていたメモリ制御信号が停止される。レリーズ信号がないときにタイミング制御回路２６から最初の一時画像メモリ２４−１にメモリ制御信号が供給されるタイミングは、現在、モニタＴＶ１１のスクリーン上に表示されているＴＶ 画像がｔ番目のフレームであるとすれば、それより△ｔだけ前の、(ｔ−△ｔ)番目のフレームのＴＶ画像信号がＣＣＤ制御回路２３から出力されるタイミングである。以下、一時画像メモリ２４−２，２４−３，・・・２４−ｎには夫々、(ｔ−２△ｔ),(ｔ−３△ｔ　),・・・（ｔ−ｎ△ｔ)番目のフレームのＴＶ信号が記憶されるように、タイミング制御回路２６から順次メモリ制御信号が出力される。従つて、レリーズボタン２１を操作したときにモニタＴＶ１１のスクリーン上に表示されていたＴＶ画像信号および、それ以前のｎ個のフレームのＴＶ画像信号が、主画像メモリ２５および一時画像メモリ２４−１，・・・２４−ｎに確実に記憶されたことになる。
　レリーズ信号発生回路２７から出力されたレリーズ信号Ｒｅは、ＴＶ画像制御装置２８にも供給される。ＴＶ画像制御装置２８は、このレリーズ信号Ｒｅが供給されると、そのとき一時画像メモリ２４−１・・・２４−ｎに記憶されている連続した複数フレームの ＴＶ信号を主画像メモリ２５の２番目からｎ番目のメモリロケーションに順次記憶せしめる。このようにして、主画像メモリ２５内には、レリーズボタン２１を操作したときにモニタＴＶ１１上に表示されていたフレーム画像を先頭にして、それ以前の連続フレーム画像が順次記憶される。（３頁左上欄１８行ないし左下欄１９行）
　(h) 以上のようにこの発明によれば、１回のレリーズ操作で連続する複数フレーム分のＴＶ画像を１つにまとめた静止画像として得ることができ、又、レリーズ操作時にすでに形成されているフレームの画像を確実に得ることができるので、被検体、例えば特異な動きをする胃の検診も確実に為し得る。又、操作者がモニタＴＶ画面上で必要と思つた画像を、その前の画像と共に確実に静止画像として得ることができるので、検診の精度の著しい向上が期待できる。（３頁右下欄１７行ないし４頁左上欄６行）
　
　イ．刊行物２：特開昭６２−１７３８６３号公報（甲第２号証）
　(a) 本発明は撮像装置にかかるものであり、特に静止画像を電子的に撮像、記録する電子カメラの改良に関するものである。（１頁左下欄１８行ないし２０行）
　(b) この制御回路２８には、レリーズスイツチ３０、連写単写切替スイッチ３２，及び画像確認スイツチ３４が各々接続されており、これらのスイツチのＯＮ，ＯＦＦ状態に対応して駆動回路１２から入力されるクロツク信号及び同期信号に基づき各部に必要なタイミング信号を出力し、動作の制御が行なわれるようになつている。（２頁右下欄１０行ないし１６行）
　(c) まず、単写モードの場合について説明する。・・・（略）・・・次に、構図が定まつてシヤツターチヤンスでレリーズスイツチ５０が押され「ＯＮ」となると、第２図(B)の矢印ＦＢで示すように、制御回路２８による制御によつて撮像部１０の出力である画像信号がＡ／Ｄ変換器１６でデイジタル化されてフレームメモリ２０に格納される。そして、該格納後、直ちに再生され、アナログスイツチ１８の入力側１８Ｂが出力側に接続されて、フレームメモリ２０に格納された画像情報による画像が電子ビユーフアインダーに静止画として再生される。同時にかかる再生画像情報は記録装置２６にも出力され、その記録が開始される。（３頁左上欄２行ないし右上欄２行）
　(d) 次に、連写モードの場合について説明する。この場合には、連写単写切替スイツチ３２が「ＯＮ」に操作され、レリーズスイツチの押下により連写撮影が開始される。すなわち、レリーズスイツチ３０が「ＯＮ」の間に、一定の時間間隔で撮影、記録が行なわれる。
　このとき、一定の時間間隔毎に、その初めのタイミングで撮像が行われてフレームメモリ２０に対する画像情報の格納が実行され、その後のタイミングで記録装置２６に対する記録動作が行われる。（３頁左下欄２０行ないし右下欄１０行）
　(e) 次に、本実施例の動作について説明すると、単写、連写を問わず、第３図(A)の矢印ＦＥ１，ＦＥ２，ＦＥ３，・・・で示すように、一連の撮影による画像信号は制御回路５２の制御により順次フレームメモリ５０に格納される。
　そして、フレームメモリ５０に格納された画像情報は、適当な撮影動作の区切り、例えば連写の終了時に再生されて記録装置２６に同図(B)の矢印ＦＦで示すように記録される。（４頁左上欄５行ないし１３行）
　
　ウ．刊行物３：実願昭５９−７３９４５号（実開昭６０−１８６７７１号）のマイクロフィルム（参考資料１）
　(a) 所望の記録開始基準時点を設定する基準時点設定手段と、この記録開始基準時点の前後の所定時間内の映像を所望の枚数の静止画としてメモリ装置に記録する撮影記録手段と、前記メモリ装置の静止画像を所望の時点で随時再生する画像再生手段とを備えたことを特徴とする電子カメラ装置（１頁５行ないし１１行）
　(b) 次に動作について説明する。まずシャッタコントローラ１２によりシャッタスピード及びシャッタ間隔を設定する。この設定動作は、テレビカメラ１１の前に設けられた機械的シャッタ(図示せず)を操作するか、ＣＣＤ等の撮像素子に加える蓄積用パルスの幅をコントロールする等の方法で行われる。例えば、ゴルフのスイングを撮影する場合などは、シャッタ間隔を１／１０秒位に、またシャッタスピードは”ブレ”を少なく撮影すべく１/１００〜１/５００秒に設定される。（６頁７行ないし１６行）
　
(4) 対比・判断
　請求項１に係る発明（以下「本件発明１」という。）と刊行物１記載の発明（以下「刊行物１発明」という。）と対比する。
　(a) 刊行物１発明の「ＣＣＤ２２」は、「ＣＣＤ制御回路」から１／６０秒毎に供給された信号により駆動されるので、本件発明１の「撮像手段」に相当する。
　(b) 刊行物１発明の「一時画像メモリ２４−１，・・・２４−ｎ」は、撮像画像を所定の枚数分記憶するので本件発明１の「画像記憶手段」に相当する。
　(c) 刊行物１発明の「タイミング制御手段」は、常時メモリ制御出力が出され、一時画像メモリ２４−１・・・２４−ｎにＴＶ信号が記憶され、次のフレームのＴＶ信号が入力されると一時画像メモリのもっとも古く記憶されたＴＶ信号が消去され、最新フレームのＴＶ信号が代わりに記憶されるのであるから、「選択手段により選択された撮像モードが所定の撮像モードの場合に」という条件を除いて、本件発明１の「記憶制御手段」に相当する。
　(d) 刊行物１発明の「レリーズボタンスイッチ２１」は、本件発明１の「撮影指示手段」に相当する。
　
　よって、本願発明１と刊行物１発明とは、
「被写体を一定間隔で撮像し、撮像画像を順次出力する撮像手段と、
　前記撮像画像を所定枚数分記憶する画像記憶手段と、
　前記撮像手段から順次出力される撮像画像を前記画像記憶手段に所定枚数分記憶させ、その後、最古の記憶画像を順次消去することにより前記撮像手段から出力される新たな撮像画像を順次記憶させる記憶制御手段と、
　撮影を指示する撮影指示手段と、
　を具備したことを特徴とする装置。」
で一致し、以下の点で相違する。
　
　相違点
　本願発明１においては、「複数の撮影モードの中から所望の撮影モードを選択する選択手段と、
　この選択手段により選択された撮影モードが所定の撮影モードの場合に、前記撮像手段から順次出力される撮像画像を前記画像記憶手段に所定枚数分記憶させ、その後、最古の記憶画像を順次消去することにより前記撮像手段から出力される新たな撮像画像を順次記憶させる記憶制御手段と、
　前記所定の撮影モード中に前記撮影指示手段により撮影が指示された場合、撮影指示時点において前記画像記憶手段に既に記憶されている撮像画像を保存記録する第１の保存画像記録手段と、
　前記選択手段により選択された撮影モードが前記所定の撮影モード以外の撮影モードの場合に、前記記憶制御手段による記憶制御を禁止する禁止手段と、　
　前記所定の撮影モード以外の撮影モード中に前記撮影指示手段により撮影が指示された場合、撮影指示時点の撮像画像を保存記録する第２の保存画像記録手段と、」
を具備した「電子スチルカメラ」であるのに対し、刊行物１発明においては、上記選択手段、この選択手段により選択された撮影モードが所定の撮影モードの場合に撮像画像を順次記憶させる上記記憶制御手段、上記第１の保存画像手段、上記禁止手段、上記第２の画像保存手段を具備していない「内視鏡撮影装置」である点
　
　上記相違点について検討する。
　刊行物２は、静止画を電子的に撮像、記録する電子カメラ、すなわち電子スチルカメラに関し、連写モード、単写モードを連写単写切換スイッチにより切り換えることが記載され、単写モード、連写モードそれぞれの場合に画像情報を記録装置に記録することが記載されている（上記３．(3)イ．(c),(d),(e)参照）。刊行物２の連写単写切換スイッチは、本件発明１の「複数の撮影モードの中から所望の撮影モードを選択する選択手段」に相当する。単写モードの場合、制御回路２８、Ａ／Ｄ変換器１６、フレームメモリ２０、Ｄ／Ａ変換器２２、アナログスイッチ１８，信号処理回路２４、記録装置２６が本件発明１の「第２の保存画像記録手段」に相当し、単写モードが、本件発明１における「所定の撮像モード以外の撮像モード」に相当する。
　刊行物２に記載された発明（以下「刊行物２発明」という。）は、固体撮像素子を用いた撮影装置である点で、刊行物１発明と同じあり、刊行物１発明に刊行物２発明を適用することが格別想到困難なことではない。しかし、刊行物１発明と刊行物２発明から「複数の撮影モードの中から所望の撮影モードを選択する選択手段と、
　この選択手段により選択された撮影モードが所定の撮影モードの場合に、前記撮像手段から順次出力される撮像画像を前記画像記憶手段に所定枚数分記憶させ、その後、最古の記憶画像を順次消去することにより前記撮像手段から出力される新たな撮像画像を順次記憶させる記憶制御手段と、
　前記所定の撮影モード中に前記撮影指示手段により撮影が指示された場合、撮影指示時点において前記画像記憶手段に既に記憶されている撮像画像を保存記録する第１の保存画像記録手段と、
　前記所定の撮影モード以外の撮影モード中に前記撮影指示手段により撮影が指示された場合、撮影指示時点の撮像画像を保存記録する第２の保存画像記録手段と、」
を具備した「電子スチルカメラ」を得ることは、当業者にとって容易になし得たとしても、刊行物２には、「前記選択手段により選択された撮影モードが前記所定の撮影モード以外の撮影モードの場合に、前記記憶制御手段による記憶制御を禁止する禁止手段」を具備することは、記載も示唆もされていない。また、刊行物３には、記録開始基準時点の前後の所定時間内の映像を所望の枚数の静止画としてメモリ装置に記録することは記載されているが、上記禁止手段を具備することは、記載も示唆もされていない。
  してみると、本件発明１は、刊行物１ないし刊行物３に記載された発明ではなく、また、刊行物１ないし刊行物３に記載されて発明に基づいて当業者が容易に発明できたものとすることができない。
　
(5) むすび
　以上のとおりであるから、特許異議申立ての理由及び証拠によっては、本件請求項１に係る発明の特許を取り消すことはできない。
　また、他に本件請求項１に係る発明の特許を取り消すべき理由を発見しない。なお、訂正前の請求項３及び４は、訂正により削除された。
　よって、結論のとおり決定する。
【異議決定日】
平成１３年３月３０日（２００１．３．３０）
【訂正の要旨】
訂正の要旨
　平成１１年１２月２２日の本件請求人提出に係る補正書により補正された特許請求の範囲に係る記載
「
　【請求項１】　被写体を一定間隔で撮像し、撮像画像を順次出力する撮像手段と、
　前記撮像画像を所定枚数分記憶する画像記憶手段と、
　前記撮像手段から順次出力される撮像画像を前記画像記憶手段に所定枚数分記憶させ、その後、最古の記憶画像を順次消去することにより前記撮像手段から出力される新たな撮像画像を順次記憶させる記憶制御手段と、
　撮影を指示する撮影指示手段と、
　この撮影指示手段により撮影が指示された場合、撮影指示時点において前記画像記憶手段に既に記憶されている撮像画像を保存記録する保存画像記録手段と、
　を具備したことを特徴とする電子スチルカメラ。
　【請求項２】　前記保存画像記録手段は、撮影指示時点において前記画像記憶手段に既に記憶されている複数の撮影画像のブレを検出し、この検出結果に応じて前記複数の撮影画像の中から最もブレの少ない撮影画像を保存記録することを特徴とする請求項１記載の電子スチルカメラ。
　【請求項３】　複数の撮影モードの中から所望の撮影モードを選択する選択手段を備え、
　前記記憶制御手段は、前記選択手段により選択された撮影モードが所定の撮影モードの場合に、前記記憶制御を実行し、
　前記保存画像記録手段は、前記選択手段により選択された撮影モードが所定の撮影モードの場合に、前記保存記録を実行することを特徴とする請求項１記載の電子スチルカメラ。
　【請求項４】　前記複数の撮影モードは、１枚撮影モードと前後撮影モードを含み、
　前記記憶制御手段は、前記選択手段により前記前後撮影モードが選択された場合に、前記記憶制御を実行し、
　前記保存画像記録手段は、前記選択手段により前記前後撮影モードが選択された場合に、前記保存記録を実行することを特徴とする請求項３記載の電子スチルカメラ。
　【請求項５】　被写体を一定間隔で撮像し、撮像画像を順次出力する撮像手段と、
　前記撮像画像を所定枚数分記憶する画像記憶手段と、
　前記撮像手段から順次出力される撮像画像を前記画像記憶手段に所定枚数分記憶させ、その後、最古の記憶画像を順次消去することにより前記撮像手段から出力される新たな撮像画像を順次記憶させる記憶制御手段と、
　撮影を指示する撮影指示手段と、
　この撮影指示手段により撮影が指示された場合、前記画像記憶手段に記憶されている、撮影指示前及び又は後の撮像画像の中から所定の撮像画像を保存記録する保存画像記録手段と、
　を具備したことを特徴とする電子スチルカメラ。
」
を、
「
　【請求項１】　被写体を一定間隔で撮像し、撮像画像を順次出力する撮像手段と、
　前記撮像画像を所定枚数分記憶する画像記憶手段と、
　
複数の撮影モードの中から所望の撮影モードを選択する選択手段と、
　
この選択手段により選択された撮影モードが所定の撮影モードの場合に、
　撮影を指示する撮影指示手段と、
　
前記所定の撮影モード中に前記
第１の
　
前記選択手段により選択された撮影モードが前記所定の撮影モード以外の撮影モードの場合に、前記記憶制御手段による記憶制御を禁止する禁止手段と、
　
前記所定の撮影モード以外の撮影モード中に前記撮影指示手段により撮影が指示された場合、撮影指示時点の撮像画像を保存記録する第２の保存画像記録手段と、
　を具備したことを特徴とする電子スチルカメラ。
　【請求項２】　前記
第１の
像
像
像
　
【請求項３】
　前記撮像画像を所定枚数分記憶する画像記憶手段と、
　前記撮像手段から順次出力される撮像画像を前記画像記憶手段に所定枚数分記憶させ、その後、最古の記憶画像を順次消去することにより前記撮像手段から出力される新たな撮像画像を順次記憶させる記憶制御手段と、
　撮影を指示する撮影指示手段と、
　この撮影指示手段により撮影が指示された場合、前記画像記憶手段に記憶されている、撮影指示前及び又は後の撮像画像の中から所定の撮像画像を保存記録する保存画像記録手段と、
　を具備したことを特徴とする電子スチルカメラ。
」
と訂正する。
（５４）【発明の名称】
電子スチルカメラ
（５７）【特許請求の範囲】
　【請求項１】　被写体を一定間隔で撮像し、撮像画像を順次出力する撮像手段と、
　前記撮像画像を所定枚数分記憶する画像記憶手段と、
　
複数の撮影モードの中から所望の撮影モードを選択する選択手段と、
　
この選択手段により選択された撮影モードが所定の撮影モードの場合に、
　撮影を指示する撮影指示手段と、
　
前記所定の撮影モード中に前記
第１の
　前
記選択手段により選択された撮影モードが前記所定の撮影モード以外の撮影モードの場合に、前記記憶制御手段による記憶制御を禁止する禁止手段と、
　
前記所定の撮影モード以外の撮影モード中に前記撮影指示手段により撮影が指示された場合、撮影指示時点の撮像画像を保存記録する第２の保存画像記録手段と、
　を具備したことを特徴とする電子スチルカメラ。
　【請求項２】　前記
第１の
像
像
像
　
【請求項３】
　前記撮像画像を所定枚数分記憶する画像記憶手段と、
　前記撮像手段から順次出力される撮像画像を前記画像記憶手段に所定枚数分記憶させ、その後、最古の記憶画像を順次消去することにより前記撮像手段から出力される新たな撮像画像を順次記憶させる記憶制御手段と、
　撮影を指示する撮影指示手段と、
　この撮影指示手段により撮影が指示された場合、前記画像記憶手段に記憶されている、撮影指示前及び又は後の撮像画像の中から所定の撮像画像を保存記録する保存画像記録手段と、
　を具備したことを特徴とする電子スチルカメラ。
【発明の詳細な説明】
　【０００１】
　【発明の属する技術分野】
　本発明は、電子スチルカメラに関する。
　【０００２】
　【従来技術と解決すべき課題】
　近年、電子スチルカメラが実用化されている。この電子スチルカメラは、撮影した直後でも現像処理することなく直ちに再生してモニタあるいはＴＶ画面等に表示することができ、非常に便利である。
　【０００３】
　しかし、使用者がシャッターチャンスを待っている状態で、シャッターチャンスがやってきた場合、シャッター操作を行なうタイミングが早すぎたり遅すぎたりしてシャッターチャンスを逃してしまうという問題があった。本発明は上記実情に鑑みて成されたもので、シャッターチャンスを確実にものにすることができる電子スチルカメラを提供することを目的とする。
　【０００４】
　【課題を解決するための手段】
　本発明は、被写体を一定間隔で撮像し、撮影画像を順次出力する撮像手段と、前記撮像画像を所定枚数分記憶する画像記憶手段と、前記撮像手段から順次出力される撮像画像を前記画像記憶手段に所定枚数分記憶させ、その後、最古の記憶画像を順次消去することにより前記撮像手段から出力される新たな撮像画像を順次記憶させる記憶制御手段と、撮影を指示する撮影指示手段と、この撮影指示手段により撮影が指示された場合、撮影指示時点において前記画像記憶手段に既に記憶されている撮像画像を保存記録する保存画像記録手段とを具備したことを特徴とする。更に、前記保存画像記録手段は、撮影指示時点において前記画像記憶手段に既に記憶されている複数の撮影画像のブレを検出し、この検出結果に応じて前記複数の撮影画像の中から最もブレの少ない撮影画像を保存記録することを特徴とする。更に、複数の撮影モードの中から所望の撮影モードを選択する選択手段を備え、前記記憶制御手段は、前記選択手段により選択された撮影モードが所定の撮影モードの場合に、前記記憶制御を実行し、前記保存画像記録手段は、前記選択手段により選択された撮影モードが所定の撮影モードの場合に、前記保存記録を実行することを特徴とする。更に、前記複数の撮影モードは、１枚撮影モードと前後撮影モードを含み、前記記憶制御手段は、前記選択手段により前記前後撮影モードが選択された場合に、前記記憶制御を実行し、前記保存画像記録手段は、前記選択手段により前記前後撮影モードが選択された場合に、前記保存記録を実行することを特徴とする。また、本発明は、被写体を一定間隔で撮像し、撮像画像を順次出力する撮像手段と、前記撮像画像を所定枚数分記憶する画像記憶手段と、前記撮像手段から順次出力される撮像画像を前記画像記憶手段に所定枚数分記憶させ、その後、最古の記憶画像を順次消去することにより前記撮像手段から出力される新たな撮像画像を順次記憶させる記憶制御手段と、撮影を指示する撮影指示手段と、この撮影指示手段により撮影が指示された場合、前記画像記憶手段に記憶されている、撮影指示前及び又は後の撮像画像の中から所定の撮像画像を保存記録する保存画像記録手段とを具備したことを特徴とする。
　【０００５】
　【発明の実施の形態】
　以下、図面を参照して本発明の一実施形態を説明する。図１は全体の回路構成を示すブロック図である。同図において１０は光学系で、レンズ１１，シャッター１２，ＣＣＤなどの撮像素子１３等により構成され、オートフォーカス機構及びＥＥ機構により、ピント、露出等が自動的に合わせられるようになっている。また、１４はシャッター制御回路で、このシャッター制御回路１４はシャッター釦１５の操作に応じてシャッター１２を制御する。
　【０００６】
　上記シャッター釦１５は、信号ライン１６ａ，１６ｂによりシャッター制御回路１４に接続しており、シャッター釦１５に人の指が触れると（軽く押されると）信号ライン１６ａを介してタッチ信号をシャッター制御回路１４に送り、シャッター釦１５が押されると信号ライン１６ｂを介してＯＮ信号をシャッター制御回路１４に出力する。このシャッター制御回路１４は、シャッター釦１５からタッチ信号が送られてくるとスタンバイモードとなり、オートフォーカス、ＥＥ機構によりピント及び露出を合わせると共に、そのときの撮影モードに応じて撮影を開始、例えば１／６０秒の間隔でシャッター１２を動作させる。
　【０００７】
　そして、上記シャッター１２の動作に伴い、被写体の像がレンズ１１及びシャッター１２を介して撮像素子１３の面に投影され、撮像素子１３から投影像に対する信号、つまり、撮像信号が信号処理回路１７へ送られる。この信号処理回路１７は、撮像信号を処理して輝度信号Ｙ及び色差信号Ｒ−Ｙ，Ｂ−Ｙを作成し、信号ラインａを介して表示制御回路１８へ出力する。また、上記信号処理回路１７から出力される信号は、スイッチＳＷ１を介して変調回路１９へ送られると共に、スイッチＳＷ２を介してＡ／Ｄ変換回路２１へ送られる。
　【０００８】
　上記スイッチＳＷ１，ＳＷ２は、制御回路２４からのスイッチ信号Ｓ１，Ｓ２によりオン／オフ制御される。上記Ａ／Ｄ変換回路２１は、信号処理回路１７から送られてくる輝度信号Ｙ及び色差信号Ｒ−Ｙ，Ｂ−Ｙをそれぞれデジタルデータに変換し、画像メモリ例えば半導体メモリ２２へ出力する。この半導体メモリ２２は、複数枚の画像例えば１８０枚の画像を記憶できる容量を有しており、図２に示すように画像記憶エリア２２ａに対応させてフラグエリア２２ｂが設けられている。
　【０００９】
　そして、上記半導体メモリ２２には、Ａ／Ｄ変換回路２１から送られてくる画像データがメモリ制御回路２３の制御に従って順次記憶されるが、１８０枚分の画像データを記憶すると最初に記憶した画像データが新しい画像データに順次書換えられる。
　【００１０】
　また、上記メモリ制御回路２３には、制御回路２４から制御信号が与えられると共に、シャッター制御回路１４からシャッター信号が与えられる。上記メモリ制御回路２３は、特定の動作モードにおいてシャッター制御回路１４からシャッター釦１５のタッチ信号が与えられると半導体メモリ２２への画像データ書込み制御を開始し、その後、シャッター釦１５のＯＮ信号が与えられると、そのとき半導体メモリ２２に記憶した画像に対応するフラグエリア２２ｂにシャッターフラグＦをセットすると共に、その後、１秒間は半導体メモリ２２に対する画像の書込み制御を継続する。
　【００１１】
　そして、上記半導体メモリ２２に記憶された画像は、メモリ制御回路２３により順次ＣＰＵ２０に読出される。このＣＰＵ２０から読出される画像を順次比較して各画像間の「動き度合」を求め、その前後の「動き度合」も最も少ない画像を選択し、その選択信号をメモリ制御回路２３に出力する。このメモリ制御回路２３は、半導体メモリ２２の記憶画像の中から上記ＣＰＵ２０により選択された画像をアドレス指定して読出し、Ｄ／Ａ変換回路２５に入力する。
　【００１２】
　上記半導体メモリ２２から読出された画像は、Ｄ／Ａ変換回路２５によりアナログ信号に変換され、信号ラインｂを介して表示制御回路１８へ送られると共に、制御回路２４からのスイッチ信号Ｓ３によりオン／オフ制御されるスイッチＳＷ３を介して変調回路１９に入力される。この変調回路１９は、信号処理回路１７からスイッチＳＷ１を介して与えられる信号あるいはＤ／Ａ変換回路２５からスイッチＳＷ３を介して与えられる信号を変調し、記録回路２６へ出力する。この記録回路２６は、変調回路１９から送られてくる信号を記録ヘッド２７ａを介して画像記録媒体例えばフロッピーディスク２８に記録する。このフロッピーディスク２８には、例えば５０枚程度の画像を記憶することができる。
　【００１３】
　上記フロッピーディスク２８に記録された画像は、再生モードにおいて再生へッド２７ｂ（一般に記録ヘッド２７ａと兼用）により読出され、再生回路３１を介して復調回路３２へ送られる。この復調回路３２は、再生信号を復調してエンコーダ３３に入力し、元の輝度信号Ｙ及び色差信号Ｒ−Ｙ，Ｂ−Ｙに戻して表示制御回路１８へ出力する。この表示制御回路１８は、信号ラインＡ，ｂ，ｃにより入力される３系統の画像信号を制御回路２４からの指示に従って選択し、ＣＲＴ等のモニタ３４に出力して表示する。このモニタ３４は、ファインダ部位に配置される。
　【００１４】
　また、上記制御回路２４には、シャッター制御回路１４からのシャッターのＯＮ信号が与えられると共にキー入力部３５が接続される。このキー入力部３５には、通常の１枚撮影モードと前後撮影モードとを切換える撮影モード切換キー、撮影モード、再生モード等の動作モードを指定する動作モード指定キー、再生モードにおいてフロッピーディスク２８の読出しアドレスを前後させるフォワードキー及びバックキー等の各種操作キーが設けられている。上記制御回路２４は、キー入力部３５からのキー入力信号、シャッター制御回路１４からのシャッターＯＮ信号に応じてスイッチＳＷ１，ＳＷ２，ＳＷ３をオン／オフ制御すると共に、メモリ制御回路２３，表示制御回路１８及び他の回路に制御指令を与える。
　【００１５】
　次に上記実施形態の動作を説明する。従来のカメラと同様の撮影を行なう場合には、キー入力部３５に設けられている撮影モード切換キーにより１枚モードを指定する。制御回路２４は、この１枚モードが指定されると、シャッター制御回路１４及びメモリ制御回路２３に１枚モード信号を出力すると共に、スイッチＳＷ１，ＳＷ２，ＳＷ３をオフし、更に表示制御回路１８に信号ラインａを選択するように指示する。この状態で撮影者がシャッター釦１５に指を軽く触れると、タッチ信号がシャッター制御回路１４へ送られる。シャッター制御回路１４は、タッチ信号が送られてくるとスタンバイモードとなり、オートフォーカス、ＥＥ機構によりピント、露出を合わせると共に、シャッター１２を１／６０秒毎に動作させる。これにより被写体の像がレンズ１１及びシャッター１２を介して撮像素子１３の面に投影され、撮像素子１３から投影像に応じた輝度信号Ｙ及び色差信号Ｒ−Ｙ，Ｂ−Ｙが出力され、信号ラインａを介して表示制御回路１８へ送られる。
　【００１６】
　表示制御回路１８は、制御回路２４からの指示により信号ラインａにより送られてくる信号を選択し、モニタ３４に表示する。このモニタ表示により撮影者は、被写体の状態を確認することができ、シャッター操作が可能となる。そして、撮影者がシャッター釦１５を押すと、ＯＮ信号がシャッター制御回路１４へ送られる。シャッター制御回路１４は、ＯＮ信号が与えられると、そのＯＮ信号を与えられると、そのＯＮ信号を制御回路２４に出力し、その後、シャッター動作を一時停止する。
　【００１７】
　制御回路２４は、シャッター制御回路１４からシャッターＯＮ信号が送られてくると、スイッチＳＷ１を一定時間例えば１／６０秒の間だけオンする。このスイッチＳＷ１がオンとなっている間、信号処理回路１７から出力される撮影信号、すなわち、輝度信号Ｙ及び色差信号Ｒ−Ｙ，Ｂ−Ｙが変調回路１９へ送られて変調され、記録回路２６に入力される。記録回路２６は、変調回路１９から送られてくる信号に従って記録ヘッド２７ａを駆動し、フロッピーディスク２８に撮影画像を記録する。そして、上記スイッチＳＷ１がオフすると、シャッター制御回路１４はシャッター釦１５からのタッチ信号の有無を判断し、タッチ信号が送られてきていればシャッター１２の制御動作を再び開始する。以下、同様にして順次撮影を行なうことができる。
　【００１８】
　上記の１枚モードでは、フロッピーディスク２８への画像記録はシャッター釦１５を押した時に限定されるが、シャッター操作の前後の撮影画像の中からブレの最も少ない画像を選んでフロッピーディスク２８に記録したい場合には、撮影モード切換キーにより前後撮影モードを切換指定する。
　【００１９】
　以下、この前後撮影モードにおける制御動作を図３のフローチャートを参照して説明する。制御回路２４は、この前後撮影モードが指定されると、シャッター制御回路１４及びメモリ制御回路２３に前後撮影モード信号を出力すると共に、スイッチＳＷ１，ＳＷ３をオフ、スイッチＳＷ２をオンし、更に表示制御回路１８に信号ラインａを選択するように指示する。この状態で撮影者がシャッター釦１５に指を軽く触れると（ステップＡ１）、タッチ信号が信号ライン１６ａを介してシャッター制御回路１４へ送られる。
　【００２０】
　シャッター制御回路１４は、タッチ信号が送られてくると、オートフォーカス、ＥＥ機構によりピント、露出を合わせると共にシャッター１２を１／６０秒毎に動作させて撮影動作を開始する（ステップＡ２）。これにより被写体の像がレンズ１１及びシャッター１２を介して撮像素子１３の面に投影され、撮像素子１３から投影像に応じた輝度信号Ｙ及び色差信号Ｒ−Ｙ，Ｂ−Ｙが出力され、信号ラインａを介して表示制御回路１８へ送られる。
　【００２１】
　表示制御回路１８は、信号ラインａにより送られてくる信号を制御回路２４の指示に従って選択し、モニタ３４に表示する。このモニタ表示により撮影者は、被写体の状態を確認することができ、シャッター操作が可能となる。更に、上記信号処理回路１７から出力される画像信号は、スイッチＳＷ２を介してＡ／Ｄ変換回路２１に入力され、デジタル信号に変換されて半導体メモリ２２に入力される。このときシャッター制御回路１４からメモリ制御回路２３にシャッター釦１５のタッチ信号がメモリ制御回路２３に与えられる。メモリ制御回路２３は、上記タッチ信号が与えられている間、Ａ／Ｄ変換回路２１から出力される画像データを半導体メモリ２２に順次書込み、１８０枚分の書込みを終了すると、最初に書込んだ画像データから順に新しい画像データに書換える。
　【００２２】
　そして、撮影者がシャッター釦１５を押すと（ステップＡ３）、ＯＮ信号が信号ライン１６ｂを介してシャッター制御回路１４へ送られる。シャッター制御回路１４は、ＯＮ信号が与えられると、そのＯＮ信号をメモリ制御回路２３及び制御回路２４に出力すると共に、その後の１秒間はシャッター制御動作をそのまま継続する。
　【００２３】
　メモリ制御回路２３は、シャッター制御回路１４からシャッターＯＮ信号が送られてくると、図２に示すようにそのとき半導体メモリ２２に記録された１／６０秒の画像に対し、対応するフラグエリア２２ｂにシャッターフラグＦをセット（ステップＡ４）すると共に、その後、１秒間は半導体メモリ２２に対する撮影画像の書込みを継続する（ステップＡ５）。従って、シャッター釦１５を押した場合に、シャッター操作前の２秒間の撮影画像（１２０枚）及びシャッター操作後の１秒間の撮影画像（６０枚）が半導体メモリ２２に記録される。
　【００２４】
　しかして、メモリ制御回路２３は、上記半導体メモリ２２への撮影画像の書込みを終了すると、半導体メモリ２２の記憶画像を順次読出してＣＰＵ２０に出力する。このＣＰＵ２０は、半導体メモリ２２から読出される画像に対して図４に示すように各画像間の「動き度合」を求め、その後の「動き度合」の最も少ない画像を選択してメモリ制御回路２３に通知する。
　【００２５】
　上記「動き度合」の検出方法は種々知られており、そのためのプログラムをＣＰＵ２０に組込めぱよい。例えば「日本電気株式会社Ｃ＆Ｃシステム研究所」による１９８１年７月発行の「通方報研資ＣＳ８１−８７」，「会議テレビ信号の動き補償フレーム間符号化」等がよく知られているが、本発明に適用する場合は簡易的な方式でよく、例えば本出願人による特願昭６３−４３４９７号の明細書に記載された動画像検出方法を用いてもよい。図４における“２”，“３”等の数値は、「動き度合」の相対的な大きさを示したものである。
　【００２６】
　しかして、ＣＰＵ２０は、上記した原理に基づいて各画像について動ベクトルを検出して「動き度合」を求め（ステップＡ６）、その後「動き度合」の最も少ない画像、つまり、ブレの最も少ない最良の画像を選択してメモリ制御回路２３に通知する（ステップＡ７）。この場合、ブレの最も少ない画像として同じレベルのものが複数ある時はシャッタータイミングに最も近い画像の方を選択する。そして、メモリ制御回路２３は、半導体メモリ２２に記憶されている画像の中からＣＰＵ２０により選択された画像をアドレス指定して読出し、Ｄ／Ａ変換回路２５に入力する。
　【００２７】
　上記Ｄ／Ａ変換回路２５は、半導体メモリ２２から読出される画像データをアナログ信号に変換して信号ラインｂに出力する。このとき制御回路２４は、表示制御回路１８に信号ラインｂを選択するように指示を与えると共に、スイッチＳＷ３を一定時間オン状態に保持する。上記表示制御回路１８は、Ｄ／Ａ変換回路２５から送られてくる画像信号を制御回路２４の指示により選択してモニタ３４に表示する。この結果、撮影者はＣＰＵ２０により選択された画像をモニタ３４により確認することができる。また、上記スイッチＳＷ３がオンすることにより、半導体メモリ２２から読出される画像が変調回路１９へ送られて変調される。そして、この変調された画像データが記録回路２６へ送られ、記録ヘッド２７ａによりフロッピーディスク２８に記録される（ステップＡ８）。
　【００２８】
　上記のように前後撮影モードでは、シャッター操作を行なうと、その前後に撮影した複数の画像が半導体メモリ２２に記憶されると共に、この半導体メモリ２２に記憶した画像の中からブレの最も少ない画像が自動的に選択されてフロッピーディスク２８に記録される。
　【００２９】
　しかして、上記フロッピーディスク２８に記録した画像を再生したい場合は、再生モードを指定する。制御回路２４は、再生モードが指定されると、表示制御回路１８に信号ライン。を選択するように指示すると共に、フロッピーディスク２８に記録されている最初の画像を再生ヘッド２７ｂにより読出し、再生回路３１により増幅した後、復調回路３２に入力して復調動作を行なわせる。この復調回路３２により復調された信号は、エンコーダ３３に入力されて元の輝度信号Ｙ及び色差信号Ｒ−Ｙ，Ｂ−Ｙに戻され、信号ラインｃを介して表示制御回路１８に送られる。この表示制御回路１８は、エンコーダ３３から送られてくる画像信号を制御回路２４の指示に従って選択してモニタ３４に表示する。また、この状態でフォワードキーを操作することによってフロッピーディスク２８の記録画像が順次読出され、モニタ３４に表示される。
　【００３０】
　なお、上記実施形態では、シャッターを押した前後数秒の撮影画像を半導体メモリ２２に記憶してブレの少ない画像を選択するようにしたが、シャッター操作後は撮影を停止し、シャッターを押した時までの数秒の撮影画像を対象としてブレの少ない画像を選択するようにしてもよいし、シャッター操作後の数秒のみを対象としてもよい。
　【００３１】
　また、上記実施形態では、１／６０秒毎にシャッター１２を制御するようにしたが、その他の値に設定しても良いことは勿論である。更に上記実施形態では、画像メモリとして半導体メモリ２２を使用した場合について示したが、その他、例えば磁気テープ，フロッピーディスク等を用いてもよい。更に又、最もブレのない画像とシャッターを押した本来の画像の両方を記録するようにしてもよい。
　【００３２】
　【発明の効果】
　以上詳記したように本発明によれば、被写体を一定間隔で撮像し、撮影画像を順次出力する撮像手段と、前記撮像画像を所定枚数分記憶する画像記憶手段と、前記撮像手段から順次出力される撮像画像を前記画像記憶手段に所定枚数分記憶させ、その後、最古の記憶画像を順次消去することにより前記撮像手段から出力される新たな撮像画像を順次記憶させる記憶制御手段と、撮影を指示する撮影指示手段と、この撮影指示手段により撮影が指示された場合、撮影指示時点において前記画像記憶手段に既に記憶されている撮像画像を保存記録する保存画像記録手段とを備えるようにしたので、シャッター操作前の撮影画像を得ることができる。更に、本発明によれば、前記保存画像記録手段は、撮影指示時点において前記画像記憶手段に既に記憶されている複数の撮影画像のブレを検出し、この検出結果に応じて前記複数の撮影画像の中から最もブレの少ない撮影画像を保存記録するので、シャッター操作前の最良の撮影画像を得ることができる。更に、本発明によれば、複数の撮影モード（例えば、１枚撮影モード、前後撮影モード等）の中から所望の撮影モードを選択する選択手段を備え、前記記憶制御手段は、前記選択手段により選択された撮影モードが所定の撮影モード（例えば、前後撮影モード）の場合に、前記記憶制御を実行し、前記保存画像記録手段は、前記選択手段により選択された撮影モードが所定の撮影モード（例えば、前後撮影モード）の場合に、前記保存記録を実行するので、ユーザーが所望する場合にのみシャッター操作前の撮影画像を得ることができる。また、本発明によれば、被写体を一定間隔で撮像し、撮像画像を順次出力する撮像手段と、前記撮像画像を所定枚数分記憶する画像記憶手段と、前記撮像手段から順次出力される撮像画像を前記画像記憶手段に所定枚数分記憶させ、その後、最古の記憶画像を順次消去することにより前記撮像手段から出力される新たな撮像画像を順次記憶させる記憶制御手段と、撮影を指示する撮影指示手段と、この撮影指示手段により撮影が指示された場合、前記画像記憶手段に記憶されている、撮影指示前及び又は後の撮像画像の中から所定の撮像画像を保存記録する保存画像記録手段とを備えるようにしたので、シャッター操作前後の撮影画像の中から所定の撮影画像を得ることができる。
【図面の簡単な説明】
　【図１】
　本発明の一実施形態における全体の回路構成を示すブロック図。
　【図２】
　図１における半導体メモリの記憶構成を示す図。
　【図３】
　同実施形態における撮影動作を説明するためのフローチャート。
　【図４】
　同実施形態における半導体メモリの記憶画像の中からブレの最も少ない画像を選択する場合の動作を説明するための図。
　【符号の説明】
　１０…光学系、１１…レンズ、１２…シャッター、１３…撮像素子、１４…シャッター制御回路、１５…シャッター釦、１６ａ，１６ｂ…信号ライン、１７…信号処理回路、１８…表示制御回路、１９…変調回路、２０…ＣＰＵ、２１…Ａ／Ｄ変換回路、２２…半導体メモリ、２３…メモリ制御回路、２４…制御回路、２５…Ｄ／Ａ変換回路、２６…記録回路、２７ａ…記録ヘッド、２７ｂ…再生ヘッド、２８…フロッピーディスク、３１…再生回路、３２…復調回路、３３…エンコーダ、３４…モニタ、３５…キー入力部、ＳＷ１〜ＳＷ３…スイッチ。